(57)【要約】    【課題】部品点数の増大や光路長の増長を招くことなく光束を分割し、位相差合焦制御を実現できる撮像装置を提供する。    【解決手段】レンズとＣＣＤ１４の受光面１４Ａとの間に出没可能なプリズム板８４を設け、ＣＣＤ１４により得られた画像データに基づいて位相差を検出する。また、プリズム板８４は、一対の第１の反射面８４Ａと、それぞれの第１の反射面８４Ａからの反射光を分岐前の光の光軸方向であってＣＣＤ１４の受光面１４Ａ方向に反射する第２の反射面８４Ｂとにより構成している。    【選択図】図５
2008249859.tif 000002
【特許請求の範囲】
【請求項１】
被写体像を結像するための光学系部材と、
前記光学系部材を駆動して前記被写体像の結像位置を変更する変更手段と、
前記光学系部材を介して被写体像を示すデジタル画像データを取得する撮像手段と、
前記光学系部材からの入射光を光軸に対して所定の反射角度で反射させることにより２分割するように配置された一対の第１の反射面と、各第１の反射面により反射された光をそれぞれ前記光軸と平行する方向であって前記撮像手段の配設方向に反射する１対の第２の反射面と、を有する分岐光学素子と、
前記分岐光学素子を移動させることにより、前記光学系部材と前記撮像手段との間に出没可能にするための前記分岐光学素子移動手段と、
前記分岐光学素子移動手段により前記分岐光学素子を前記光学系部材と前記撮像手段との間に移動させた状態で前記撮像手段による撮像により得られたデジタル画像データに基づいて、前記分岐光学素子により分岐された入射光を示す２つの画像の位相差に基づいて被写体距離を導出する距離導出手段と、
前記距離導出手段により導出された被写体距離に応じて被写体像が前記撮像手段の配設位置で結像するように前記変更手段を制御する制御手段と、
を備えた撮像装置。
【請求項２】
前記分岐光学素子を複数備え、
前記距離導出手段は、前記複数の分岐光学素子により分岐された入射光のそれぞれについて位相差を導出し、各位相差の導出結果に基づいて被写体距離を導出する請求項１記載の撮像装置。
【請求項３】
前記変更手段により前記光学部材による結像位置を変更しながら、前記撮像手段による撮像によって取得されたデジタル画像データに基づく画像の輝度の高周波成分を示す評価値を検出し、検出された評価値に基づいて、読み取られた画像のコントラストが最大となる前記光学部材の位置を特定する位置特定手段を更に備え、
前記制御手段は、前記距離導出手段により導出された被写体距離に応じた前記変更手段の制御を行った後に、前記位置特定手段による前記光学部材の位置の特定及び前記変更手段による前記光学部材の前記特定された位置への移動を行なうように制御する請求項１又は請求項２記載の撮像装置。
【請求項４】
前記位置特定手段による前記光学部材の位置の特定が良好に実行できたか、良好に実行できなかったかを判定する判定手段を更に備え、
前記制御手段は、前記距離導出手段により導出された被写体距離に応じた前記変更手段の制御を行った後に、前記位置特定手段による前記光学部材の位置の特定及び前記変更手段による前記光学部材の前記特定された位置への移動を行なうように制御すると共に、前記判定手段により前記光学部材の位置の特定が良好に実行できなかったと判定された場合には、再び前記距離導出手段による被写体距離の導出及び導出された被写体距離に応じた前記変更手段の制御を行うように制御する請求項３記載の撮像装置。
【請求項５】
前記撮像手段と前記光学部材との間に設けられ、前記撮像手段へ入射させる光の波長を制限する波長制限手段を更に備え、
前記波長制限手段は、前記距離導出手段による被写体距離の導出時に用いる距離導出用領域と、前記光学部材の位置決定後、撮影保存用のデジタル画像データの取得時に用いる撮影用領域と、を有し、
前記分岐光学素子を、前記波長制限手段の前記距離導出用領域に設けた請求項２〜請求項４の何れか１項記載の撮像装置。
【請求項６】
前記分岐光学素子の配設位置においては、前記波長の制限が行なわれないようにした請求項５記載の撮像装置。
【請求項７】
前記デジタル画像データにより示される被写体像を表示するための表示手段と、
前記表示手段に前記分岐光学素子を介して得られたデジタル画像データにより示される被写体像を表示する際に、前記分岐光学素子により分割された入射光に相当する２つの領域の画像を合成して、当該２つの領域の中央に合成した画像を表示する請求項１〜請求項６の何れか１項記載の撮像装置。
【発明の詳細な説明】
【技術分野】
【０００１】
本発明は、撮像により被写体像を示すデジタル画像データを取得する撮像装置に関する。
【背景技術】
【０００２】
被写体像を撮像する場合には、撮像素子に被写体像を結像させるためのレンズを移動させて、被写体像が撮像素子の配設位置で結像するように制御する合焦制御が一般に行なわれている。
【０００３】
合焦制御の手法としては、主として、撮像によって取得されたデジタル画像データにより示される画像のコントラストが最大となる結像位置を検出する方式と、レンズを介した被写体像を瞳分割し、分割された被写体像の位相差を検出する方式と、がある。
【０００４】
位相差を検出する方式を用いた技術としては、例えば、特許文献１のように、位相検知用の光学系を撮影光路中に挿入し、撮影用の撮像素子で位相差を検知することが提案されている。
【０００５】
また、特許文献２及び特許文献３のように、光路分岐用のプリズム素子を撮影光路中に挿入し、焦点検出用のセンサに導くことが提案されている。
【０００６】
さらに、特許文献４には、光路中にスプリットイメージプリズムを挿入し、撮像素子を用いて像ずれによる焦点検知を行なうことが提案されている。
【０００７】
また、特許文献５には、瞳分割用開口部を有し、当該開口部にプリズム効果を持たせることが記載されている。
【特許文献１】特開２００６−３０８９２６公報
【特許文献２】特開２００６−１２６６５２公報
【特許文献３】特開２００６−３１７９１８公報
【特許文献４】特開２００４−４６１３２公報
【特許文献５】特開２００６−７１９５０公報
【発明の開示】
【発明が解決しようとする課題】
【０００８】
しかしながら、上記特許文献１〜特許文献３及び特許文献５の技術では、検知用のセンサが必要である、という問題点があった。
【０００９】
また、上記特許文献４の技術では、スプリットイメージプリズムよりも大きな像が必要であり、境界線上の像の形状が直線でなければ、合焦状態であっても非合焦状態と判断されてしまう、という問題点があった。
【００１０】
また、特許文献１の技術では、本来の結像面よりもレンズ側に結像させ、位相検知用の瞳分割のためのレンズを挿入するので、撮影レンズと撮像面の間の距離が増長することが考えられる。
【００１１】
本発明は上記問題点を解決するためになされたものであり、部品点数の増大や光路長の増長を招くことなく光束を分割し、位相差合焦制御を実現できる撮像装置を提供することを目的とする。
【課題を解決するための手段】
【００１２】
上記目的を達成するために、請求項１の発明は、被写体像を結像するための光学系部材と、前記光学系部材を駆動して前記被写体像の結像位置を変更する変更手段と、前記光学系部材を介して被写体像を示すデジタル画像データを取得する撮像手段と、前記光学系部材からの入射光を光軸に対して所定の反射角度で反射させることにより２分割するように配置された一対の第１の反射面と、各第１の反射面により反射された光をそれぞれ前記光軸と平行する方向であって前記撮像手段の配設方向に反射する１対の第２の反射面と、を有する分岐光学素子と、前記分岐光学素子を移動させることにより、前記光学系部材と前記撮像手段との間に出没可能にするための前記分岐光学素子移動手段と、前記分岐光学素子移動手段により前記分岐光学素子を前記光学系部材と前記撮像手段との間に移動させた状態で、前記撮像手段による撮像により得られたデジタル画像データに基づいて、前記分岐光学素子により分岐された入射光を示す２つの画像の位相差に基づいて被写体距離を導出する距離導出手段と、前記距離導出手段により導出された被写体距離に応じて被写体像が前記撮像手段の配設位置で結像するように前記変更手段を制御する制御手段と、を備えている。
【００１３】
請求項１記載の発明によれば、被写体像を結像するための光学系部材を駆動して前記被写体像の結像位置を変更し、当該光学系部材を介して得られた被写体像を示すデジタル画像データを撮像手段により取得する。
【００１４】
また、前記分岐光学素子移動手段により、前記光学系部材と前記撮像手段との間に、前記光学系部材からの入射光を光軸に対して所定の反射角度で反射させることにより２分割するように配置された一対の第１の反射面と、各第１の反射面により反射された光をそれぞれ前記光軸と平行する方向であって前記撮像手段の配設方向に反射する１対の第２の反射面と、を有する分岐光学素子を出没可能に構成し、前記分岐光学素子移動手段により前記分岐光学素子を前記光学系部材と前記撮像手段との間に移動させた状態で、前記撮像手段による撮像により得られたデジタル画像データに基づいて、前記分岐光学素子により分岐された入射光を示す２つの画像の位相差に基づいて被写体距離を導出し、導出された被写体距離に応じて被写体像が前記撮像手段の配設位置で結像するように前記変更手段を制御するようにしているので、部品点数の増大や光路長の増長を招くことなく光束を分割し、位相差合焦制御を実現できる。
【００１５】
すなわち、本発明では、光学部材と撮像手段との間に出没可能な分岐光学素子を設けることにより、位相差検出のための撮像装置等のセンサが不要である。
【００１６】
また、本発明では、分岐光学素子を、一対の第１の反射面と、それぞれの第１の反射面からの反射光を分岐前の光の光軸方向であって撮像手段の配設方向に反射する第２の反射面とにより構成しているので、分岐光学素子がコンパクトに実現できる。
【００１７】
なお、請求項１記載の発明は、請求項２記載の発明のように、前記分岐光学素子を複数備え、前記距離導出手段は、前記複数の分岐光学素子により分岐された入射光のそれぞれについて位相差を導出し、各位相差の導出結果に基づいて被写体距離を導出するようにしてもよい。
【００１８】
また、請求項１又は請求項２記載の発明は、請求項３記載の発明のように、前記変更手段により前記光学部材による結像位置を変更しながら、前記撮像手段による撮像によって取得されたデジタル画像データに基づく画像の輝度の高周波成分を示す評価値を検出し、検出された評価値に基づいて、読み取られた画像のコントラストが最大となる前記光学部材の位置を特定する位置特定手段を更に備え、前記制御手段は、前記距離導出手段により導出された被写体距離に応じた前記変更手段の制御を行った後に、前記位置特定手段による前記光学部材の位置の特定及び前記変更手段による前記光学部材の前記特定された位置への移動を行なうように制御するように構成することもできる。
【００１９】
請求項３記載の発明は、請求項４記載の発明のように、前記位置特定手段による前記光学部材の位置の特定が良好に実行できたか、良好に実行できなかったかを判定する判定手段を更に備え、前記制御手段は、前記距離導出手段により導出された被写体距離に応じた前記変更手段の制御を行った後に、前記位置特定手段による前記光学部材の位置の特定及び前記変更手段による前記光学部材の前記特定された位置への移動を行なうように制御すると共に、前記判定手段により前記光学部材の位置の特定が良好に実行できなかったと判定された場合には、再び前記距離導出手段による被写体距離の導出及び導出された被写体距離に応じた前記変更手段の制御を行うように制御するようにしてもよい。
【００２０】
請求項２〜請求項４の何れか１項記載の発明は、請求項５記載の発明のように、前記撮像手段と前記光学部材との間に設けられ、前記撮像手段へ入射させる光の波長を制限する波長制限手段を更に備え、前記波長制限手段は、前記距離導出手段による被写体距離の導出時に用いる距離導出用領域と、前記光学部材の位置決定後、撮影保存用のデジタル画像データの取得時に用いる撮影用領域と、を有し、前記分岐光学素子を、前記波長制限手段の前記距離導出用領域に設けた請求項２〜請求項４の何れか１項記載の撮像装置。
【００２１】
請求項５記載の発明は、請求項６記載の発明のように、前記分岐光学素子の配設位置においては、前記波長の制限が行なわれないようにしてもよい。
【００２２】
請求項１〜請求項６の何れか１項記載の発明は、請求項７記載の発明のように、前記デジタル画像データにより示される被写体像を表示するための表示手段と、前記表示手段に前記分岐光学素子を介して得られたデジタル画像データにより示される被写体像を表示する際に、前記分岐光学素子により分割された入射光に相当する２つの領域の画像を合成して、当該２つの領域の中央に合成した画像を表示するようにしてもよい。
【発明の効果】
【００２３】
以上説明したように、本発明によれば、部品点数の増大や光路長の増長を招くことなく光束を分割し、位相差合焦制御を実現できる、という優れた効果を有する。
【発明を実施するための最良の形態】
【００２４】
以下、図面を参照して、本発明を実施するための最良の形態について詳細に説明する。
（第１実施形態）
まず、図１を参照して、本形態に係るデジタルカメラ１０の外観上の構成を説明する。
【００２５】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００２６】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２７】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２８】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００２９】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００３０】
次に、図２を参照して、本実施の形態に係るデジタルカメラ１０の電気系の構成を説明する。
【００３１】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３２】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３３】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００３４】
また、デジタルカメラ１０は、デジタルカメラ１０全体の動作を司るＣＰＵ（中央処理装置）３２と、ＡＦ機能を働かせるために必要とされる物理量を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００３５】
更に、デジタルカメラ１０は、スマートメディア（Smart Media(登録商標)）により構成された記録メディア４２Ａをデジタルカメラ１０でアクセス可能とするためのメディアコントローラ４２と、を含んで構成されている。
【００３６】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０及びメディアコントローラ４２は、各々バスＢＵＳを介して相互に接続されている。
【００３７】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８及び第２メモリ４０へのアクセスと、メディアコントローラ４２を介した記録メディア４２Ａへのアクセスと、を各々行うことができる。
【００３８】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００３９】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００４０】
また、デジタルカメラ１０は、接続された外部機器との間の所定インタフェース規格（例えば、ＵＳＢ（Universal Serial Bus）規格）による通信を司る外部機器インタフェース６４を備えている。
【００４１】
当該外部機器インタフェース６４もバスＢＵＳに接続されており、ＣＰＵ３２は、外部機器インタフェース６４に接続されたＰＣやプリンタ等の外部機器６６との間で通信可能とされている。
【００４２】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４３】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４４】
ＣＰＵ３２は、光学ズーム倍率を変更する際にはズームモータを駆動制御して光学ユニット１３に含まれるレンズ１２の焦点距離を変化させる。
【００４５】
また、ＣＰＵ３２は、ＣＣＤ１４による撮像によって得られた画像のコントラストが最大となるように上記焦点調整モータを駆動制御することによって合焦制御を行う。すなわち、本実施の形態に係るデジタルカメラ１０では、合焦制御として、ＡＦ検出回路３４により、ＣＣＤ１４による撮像によって得られた画像の輝度の高周波成分を示す評価値を検出し、検出された評価値に基づいて、読み取られた画像のコントラストが最大となるようにレンズの位置を設定する、所謂ＴＴＬ（Through The Lens）方式によるコントラストＡＦ制御を実行可能である。
【００４６】
さらに、本実施の形態では、光学ユニット１３に、ＣＣＤ１４に入射する光束を分割するプリズム板８４（図３参照）を設けており、ＡＦ検出回路３４により、プリズム板８４を用いたＣＣＤ１４による撮像によって得られた画像に基づいて分割された光束により示される画像同士の位相差を検出し、当該位相差に基づいて合焦状態となるレンズの位置を導出するＴＴＬ位相差ＡＦ制御を実行可能に構成されている。
【００４７】
なお、ＣＰＵ３２は、ＡＦ検出回路３４により検出する物理量として、上記コントラストＡＦ制御を実行する場合は評価値を、上記位相差ＡＦ制御を実行する場合は位相差を、それぞれ指定する。
【００４８】
図３に示されるように、光学ユニット１３は、上記レンズ１２とＣＣＤ１４との間に、赤外線カットガラス８０が配設されている。なお、赤外線カットガラス８０は、ＣＣＤ１４の受光面１４Ａに入射する光のうち、赤外線以外の波長の光を透過させる。
【００４９】
また、同図に示されるように、赤外線カットガラス８０とＣＣＤ１４の間に、プリズム板８４を挿入可能に構成されている。
【００５０】
図４は、ＣＣＤ１４の受光面１４Ａ側からみた正面図である。同図に示されるように、プリズム板８４は、支持板８２により支持されている。支持板８２は、ＣＰＵ３２の制御下でモータ駆動部５０から供給された駆動信号によって駆動されるプリズム移動用モータ（図示省略）により、回転軸８２Ａを中心に回転される。これにより、支持板８２及びプリズム板８４は、通常は同図に鎖線で示す位置に、ＴＴＬ位相差ＡＦ制御時には同図に実線で示す位置に配置される。
【００５１】
図５に示されるように、プリズム板８４は、第１の反射面８４Ａと、第２の反射面８４Ｂと、を備えている。第１の反射面８４Ａは、プリズム板８４に入射する光束を中央で２分割するように２面設けられている。第２の反射面８４Ｂは、第１の反射面８４Ａにより分割されて反射された光をＣＣＤ１４の受光面１４Ａに入射させる。
【００５２】
すなわち、同図に示されるように、レンズ１２を介して入射した光がＣＣＤ１４の受光面１４Ａで結像される場合、プリズム板８４に入射した光は、２面の第１の反射面により２分割されて、それぞれ第２の反射面に案内され、ＣＣＤ１４の受光面１４Ａに入射される。
【００５３】
ここで、プリズム板８４を介して受光面１４Ａに入射される光の光路長は、プリズム板８４を介さずに受光面１４Ａに入射される光の光路長よりも長くなる。そこで、本実施の形態では、プリズム板８４の屈折率を、光路長の差を相殺できるように設定している。
【００５４】
したがって、同図に示されるように、プリズム板８４を介した場合の光路長はプリズム板８４を介さない場合の光路長よりも長くなるが、焦点位置は同一となる。
【００５５】
また、プリズム板８４に入射された光は分割されて互いに離れた位置に結像されるので、ＣＣＤ１４により撮像された画像においては、例えば、図６に示されるように、光が入射されない領域８７が生じる。なお、同図において、中央部分に示す領域８７とその左右の領域８６Ａ、８６Ｂがプリズム板８４を介して得られる画像である。なお、領域８７は、第１の反射面８４Ａの影であり、その左右の領域８６Ａ，８６Ｂは、分割された光束により示される画像である。
【００５６】
ここで、非合焦時には、領域８６Ａの画像と領域８６Ｂの画像との間に位相差があり、当該位相差を導出することにより、合焦状態となるレンズの位置を導出することができる。
【００５７】
なお、本実施の形態では、プリズム板８４を透過した光線と、プリズム板８４を透過していない光線との焦点位置が完全に一致するようにプリズム板８４の屈折率を設定する形態について説明したが、本発明は、これに限定されるものではない。
【００５８】
すなわち、プリズム板８４を透過した光線と、プリズム板８４を透過していない光線との焦点位置がずれる場合には、当該焦点位置のずれを考慮して、プリズム板８４により分岐された２つの光線により示される画像の位相差が所定の位相差になる状態を合焦状態として、レンズの位置を導出すればよい。
【００５９】
次に、本実施の形態に係るデジタルカメラ１０の作用を説明する。まず、撮影モードが設定されている場合の全体的な処理の流れについて簡単に説明する。
【００６０】
まず、ＣＣＤ１４による光学ユニット１３を介した撮像が行なわれ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００６１】
画像入力コントローラ２０は内蔵しているラインバッファにＡＤＣ１８から順次入力されるデジタル画像データを蓄積して一旦第２メモリ４０の所定領域に格納する。
【００６２】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００６３】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００６４】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式で圧縮した後に記録メディア４２Ａに画像ファイルとして記録する。
【００６５】
図７は、撮影モードが設定されている状態で、ユーザによってレリーズボタン５６Ａが操作された場合に、デジタルカメラ１０のＣＰＵ３２で実行される撮影処理プログラムの処理の流れを示すフローチャートである。以下、同図を参照して本実施の形態に係る撮影処理について説明する。
【００６６】
まず、ステップ１００では、プリズム板８４を挿入し、その後にステップ１０２に移行して、位相差ＡＦを検出する。
【００６７】
プリズム板８４の挿入は、モータ駆動部５０を介して不図示のプリズム移動用モータを駆動することにより、回転軸８２Ａを中心に支持板８２を回転させて実行される。
【００６８】
位相差ＡＦの検出は、領域８６Ａの画像と領域８６Ｂの画像との間の位相差を導出することにより実行される。なお、領域８６Ａ、８６Ｂの特定は、例えば、予めプリズム板８４の挿入位置を設定しておき、設定された挿入位置に基づいて行うことができる。また、位相差の導出は、各領域の対応する画素の値を比較することにより実行することができる。さらに、導出した位相差と、現在のレンズ位置とに基づいて、合焦状態となるレンズの位置を導出する。
【００６９】
次のステップ１０４では、検出した位相差ＡＦに応じて導出した合焦状態となる位置に応じてフォーカスレンズを移動させ、その後にステップ１０６に移行する。
【００７０】
ステップ１０６では、上述のプリズム移動用モータを駆動してプリズム板８４を受光面１４Ａから退避させ、その後にステップ１０８に移行する。ステップ１０８では、レリーズボタン５６Ａが全押し状態とされたか否かを判定し、当該判定が肯定判定となった場合はステップ１１０に移行する。
【００７１】
ステップ１１０では、撮影動作として、この時点で第２メモリ４０に格納されているＹＣ信号を、圧縮・伸張処理回路２４によって所定の圧縮形式で圧縮した後に記録メディア４２Ａに画像ファイルとして記録し、その後に本撮影処理を終了する。
【００７２】
一方、ステップ１０８で否定判定となった場合はステップ１１２に移行して、レリーズボタン５６Ａが非押下位置に戻されたか否かを判定し、当該判定が否定判定となった場合は再びステップ１０８に戻る。また、ステップ１１２が肯定判定となった場合はそのまま本撮影処理を終了する。
【００７３】
このように、本第１実施形態によれば、レンズ１２とＣＣＤ１４の受光面１４Ａとの間に出没可能なプリズム板８４を設けることにより、ＣＣＤ１４が位相差ＡＦ検出のための撮像装置等を兼ねているので、別途センサを設ける必要がない。
【００７４】
また、本第１実施形態では、プリズム板８４を、一対の第１の反射面８４Ａと、それぞれの第１の反射面８４Ａからの反射光を分岐前の光の光軸方向であってＣＣＤ１４の受光面１４Ａ方向に反射する第２の反射面８４Ｂとにより構成しているので、プリズム板８４をコンパクトにできる。
【００７５】
したがって、光学系を大きくすることなく、光路長の増大も防止できる。  なお、本実施の形態では、プリズム板８４をＬＣＤ１４の中央に１つ配置可能に構成する形態について説明したが、本発明はこれに限定されるものではない。
【００７６】
例えば、図８に示されるように、複数のプリズム板８４を２つの支持板８２にそれぞれ取り付け、受光面１４Ａに出没可能に構成することもできる。これにより、所謂多点測距を実行することもできる。
【００７７】
多点測距の手法としては、各プリズム板８４を用いて導出される位相差に予め設定された重み付けを行なう手法や、何れかを選択的に用いる手法等、一般的な手法を用いることができる。
【００７８】
なお、複数のプリズム板８４を退避させる構成としては、２つの支持板８２に限らず、１つの支持板８２又は３つ以上の支持板８２により退避させるようにしてもよい。
（第２実施形態）
上記第１実施形態では、プリズム板８４を支持板８２の回転動作により受光面１４Ａに出没可能に構成する形態について説明したが、本第２実施形態では、赤外線カットガラスと一体的にプリズム部を形成する形態について説明する。
【００７９】
なお、本第２実施形態のデジタルカメラの構成において、上記第１実施形態のデジタルカメラ１０の構成と同一の構成については同一の符号を付し、その図示及び説明を省略する。
【００８０】
図９には、本第２実施形態に係る赤外線カットプレート２８０が示されている。同図に示されるように、赤外線カットプレート２８０は、ＣＣＤ１４の受光面１４Ａの面積よりも大きな板状とされている。また、赤外線カットプレート２８０は、ＣＰＵ３２の制御下でモータ駆動部５０から供給された駆動信号によって駆動されるプリズム移動用モータ（図示省略）により、ＬＣＤ１４の受光面側をスライド移動可能に設けられ、同図に実線で示す位置Ａと、一点鎖線で示す位置Ｂと、の何れかに移動される。
【００８１】
また、同図に示されるように、位置Ａに移動された場合に受光面１４Ａの所定位置に対向する位置には、プリズム部２８４が形成されている。
【００８２】
このプリズム部２８４は、赤外線カットプレート２８０が位置Ｂにスライド移動された場合に受光面１４Ａとは対向しない領域に位置するように設ける必要がある。
【００８３】
図１０に示されるように、赤外線カットプレート２８０は、受光面１４Ａ側にＩＲカット加工２８０Ａが施されて構成されている。また、赤外線カットプレート２８０は、その一部に、第１の反射面２８４Ａと第２の反射面２８４Ｂとが形成され、プリズム部２８４を構成している。
【００８４】
すなわち、同図に示されるように、レンズ１２を介して入射した光がＣＣＤ１４の受光面１４Ａで結像される場合、プリズム部２８４に入射した光は、２面の第１の反射面により２分割されて、それぞれ第２の反射面に案内され、ＣＣＤ１４の受光面１４Ａに入射される。
【００８５】
なお、本第２実施形態でも、上記第１実施形態と同様、プリズム部２８４の第１の反射面２８４Ａと第２の反射面２８４Ｂとの間の屈折率を、光路長の差を相殺できるように設定している。したがって、同図に示されるように、プリズム部２８４を介した場合の光路長はプリズム部２８４を介さない場合の光路長よりも長くなるが、焦点位置は同一となる。
【００８６】
なお、本第２実施形態における撮影処理の流れについてはプリズム部２８４の出没を赤外線カットプレート２８０のスライド移動により実行する点を除いては、上記第１実施形態と同様であるので、その説明を省略する。
【００８７】
このように、本第２実施形態によれば、ＩＲカットプレート２８０にプリズム部２８４を設けているので、部品点数を増やすことなく、位相差ＡＦが可能になる。また、複数の支持板８２を用いる場合と比較して、可動部が少なくてすむので、制御も容易である。
【００８８】
本第２実施形態では、プリズム部２８４の受光面１４Ａ側にもＩＲカット加工２８４Ａを施す形態について説明したが、本発明はこれに限定されるものではない。
【００８９】
例えば、図１１に示されるように、プリズム部２８４の第２の反射面２８４Ｂにより反射された光の射出領域には、ＩＲカット加工２８４を施さない構成とすることもできる。この場合、プリズム部２８４においては、レンズ１２から入射した光の赤外成分も透過するので、受光面１４Ａに入射する光量が増え、暗い場所で撮影を実行する場合等、低輝度時でも効率よく位相差ＡＦを検出できる。
【００９０】
なお、赤外線カットプレート２８０のプリズム部２８４を除く部位にはＩＲカット加工２８４を施しているので、撮影により得られた画像には、赤外光による赤み等の影響が出ることはない。
【００９１】
また、本第２実施形態では、赤外線カットプレート２８０に複数のプリズム部２８４を設ける形態について説明したが、本発明はこれに限定されるものではなく、１のプリズム部２８４を設ける形態とすることもできる。
（第３実施形態）
ここで、上記各実施形態では、位相差ＡＦの検出実行中のスルー画像には、プリズム板８４又はプリズム部２８４に対向する領域８７にプリズム板８４又はプリズム部２８４の影が映りこんでしまうと共に、領域８７の左右にはプリズム板８４又はプリズム部２８４により分割された光に応じた画像がそれぞれ映し出される（図６参照）。すなわち、本来、領域８７に映し出されるべき画像が領域８６Ａと８６Ｂとに映し出される。
【００９２】
そこで、本第３実施形態では、プリズム板８４又はプリズム部２８４により分割された光に応じた画像（２つの領域５６Ａ、５６Ｂの画像）を合成して得られた合成画像を領域８７に表示する。これにより、領域８７には、スプリットイメージのような画像が表示される。
【００９３】
図１２（Ａ）には、非合焦時の合成画像が表示された状態が示されている。焦点位置が合っていない場合、領域８６Ａの画像と領域８６Ｂの画像とでは、被写体の位置が異なる。このため、同図に示されるように、合成後の画像における被写体の輪郭が一致しない。
【００９４】
なお、領域５６Ａ及び領域５６Ｂには、プリズム板８４又はプリズム部２８４が挿入されたことによりスルー画像が撮影される画像とは異なることを示す予め設定された代替画像を表示する。なお、同図に示す例では、予め設定された代替画像として、黒塗りつぶしの画像を表示している。
【００９５】
また、図１２（Ｂ）には、合焦時の合成画像が表示された状態が示されている。焦点位置が合っている場合には、領域８６Ａの画像と領域８６Ｂの画像との間に位相差がなく、被写体の位置が一致する。したがって、同図に示されるように、合成後の画像における被写体の輪郭が一致する画像が表示されることになる。
【００９６】
これにより、ユーザによる、合焦位置や合焦状態の確認が容易になる。
【００９７】
なお、領域８６Ａ、８６Ｂ及び領域８７の位置については、画像データに基づいて抽出するようにしてもよいし、プリズム板８４又はプリズム部２８４の挿入位置に応じて予め設定された領域の画像を抽出するようにしてもよい。
【００９８】
また、領域８６Ａ，８６Ｂの画像の抽出、合成、合成画像の領域８７へのはめ込み及び領域８６Ａ及び領域８６Ｂへの代替画像の表示は、表示制御部回路２８により実行する構成とすることができる。
【００９９】
このように、本第３実施形態によれば、スプリットイメージのような表示になるので、ユーザは、合焦ポイントや合焦状態の確認が容易になる。
【０１００】
なお、上記実施の形態で説明した撮像処理の流れ（図７参照）は一例であり、本発明の主旨を逸脱しない範囲内において適宜変更可能であることは言うまでもない。
【０１０１】
すなわち、上記各実施の形態では、一旦位相差ＡＦの検出を行った後にプリズム板８４を退避させ、その後にレリーズボタン５６Ａが全押し状態とされるのを待って撮影動作を行う形態について説明したが、本発明は、これに限定されるものではない。
（変形例１）
例えば、レリーズボタン５６Ａが全押し状態となるまで、プリズム板８４を挿入したままの状態として、位相差ＡＦの検出及び検出結果に基づくフォーカスレンズの移動を行ってもよい。
【０１０２】
図１３には、変形例１に係る撮影処理の流れが示されている。以下、同図を参照して変形例１に係る撮影処理について説明する。
【０１０３】
なお、本変形例１では、一例として、上記第１実施形態で説明したプリズム板８４を用いた構成のデジタルカメラ１０に適用した場合について説明する。したがって、上記第２実施形態で説明したように、赤外線カットプレート２８０にプリズム部２８４を設けた構成のデジタルカメラ１０に適用してもよいし、第１実施形態又は第２実施形態の構成で、第３実施形態の合成・はめ込み処理を実行するデジタルカメラ１０に適用してもよいことは言うまでもない。
【０１０４】
まず、ステップ１３０では、プリズム板８４を挿入し、その後にステップ１３２に移行して、位相差ＡＦを検出する。
【０１０５】
プリズム板８４の挿入は、モータ駆動部５０を介して不図示のプリズム移動用モータを駆動することにより、回転軸８２Ａを中心に支持板８２を回転させて実行される。
【０１０６】
位相差ＡＦの検出は、領域８６Ａの画像と領域８６Ｂの画像との間の位相差を導出することにより実行される。なお、領域８６Ａ、８６Ｂの特定は、例えば、予めプリズム板８４の挿入位置を設定しておき、設定された挿入位置に基づいて行うことができる。また、位相差の導出は、各領域の対応する画素の値を比較することにより実行することができる。さらに、導出した位相差と、現在のレンズ位置とに基づいて、合焦状態となるレンズの位置を導出する。
【０１０７】
次のステップ１３４では、検出した位相差ＡＦに応じて導出した合焦状態となる位置に応じてフォーカスレンズを移動させ、その後にステップ１３６に移行する。
【０１０８】
ステップ１３６では、レリーズボタン５６Ａが全押し状態とされたか否かを判定し、当該判定が肯定判定となった場合はステップ１３８に移行する。
【０１０９】
ステップ１３８では、上述のプリズム移動用モータを駆動してプリズム板８４を受光面１４Ａから退避させ、その後にステップ１４０に移行する。
【０１１０】
ステップ１４０では、撮影動作として、この時点で第２メモリ４０に格納されているＹＣ信号を、圧縮・伸張処理回路２４によって所定の圧縮形式で圧縮した後に記録メディア４２Ａに画像ファイルとして記録し、その後に本撮影処理を終了する。
【０１１１】
一方、ステップ１３６で否定判定となった場合はステップ１４２に移行して、レリーズボタン５６Ａが非押下位置に戻されたか否かを判定し、当該判定が否定判定となった場合は再びステップ１３２に戻る。
【０１１２】
また、ステップ１４２が肯定判定となった場合は、ステップ１４４に移行して上述のプリズム移動用モータを駆動してプリズム板８４を受光面１４Ａから退避させ、その後に本撮影処理を終了する。
【０１１３】
本変形例１によれば、撮影動作を行うまでの間、継続的に合焦状態とすることが可能である。
（変形例２）
また、例えば、位相差ＡＦの検出による合焦制御と、コントラストＡＦの検出による合焦制御とを併用する形態とすることもできる。
【０１１４】
図１４には、変形例２に係る撮影処理の流れが示されている。以下、同図を参照して変形例２に係る撮影処理について説明する。
【０１１５】
なお、本変形例２では、一例として、上記第１実施形態で説明したプリズム板８４を用いた構成のデジタルカメラ１０に適用した場合について説明する。したがって、上記第２実施形態で説明したように、赤外線カットプレート２８０にプリズム部２８４を設けた構成のデジタルカメラ１０に適用してもよいし、第１実施形態又は第２実施形態の構成で、第３実施形態の合成・はめ込み処理を実行するデジタルカメラ１０に適用してもよいことは言うまでもない。
【０１１６】
まず、ステップ１５０では、プリズム板８４を挿入し、その後にステップ１５２に移行して、位相差ＡＦを検出する。
【０１１７】
プリズム板８４の挿入は、モータ駆動部５０を介して不図示のプリズム移動用モータを駆動することにより、回転軸８２Ａを中心に支持板８２を回転させて実行される。
【０１１８】
位相差ＡＦの検出は、領域８６Ａの画像と領域８６Ｂの画像との間の位相差を導出することにより実行される。なお、領域８６Ａ、８６Ｂの特定は、例えば、予めプリズム板８４の挿入位置を設定しておき、設定された挿入位置に基づいて行うことができる。また、位相差の導出は、各領域の対応する画素の値を比較することにより実行することができる。さらに、導出した位相差と、現在のレンズ位置とに基づいて、合焦状態となるレンズの位置を導出する。
【０１１９】
次のステップ１５４では、検出した位相差ＡＦに応じて導出した合焦状態となる位置に応じてフォーカスレンズを移動させ、その後にステップ１５６に移行する。
【０１２０】
ステップ１５６では、上述のプリズム移動用モータを駆動してプリズム板８４を受光面１４Ａから退避させ、その後にステップ１５８に移行する。
【０１２１】
ステップ１５８では、コントラストＡＦの検出による合焦制御を実行し、その後にステップ１６０に移行する。
【０１２２】
なお、ステップ１５８におけるコントラストＡＦの検出による合焦制御は、上記ステップ１５４の処理後のフォーカスレンズの位置を中心として、予め設定された範囲内でフォーカスレンズを移動させながら、コントラストＡＦの検出を実行し、コントラストが最大となる位置にフォーカスレンズを移動させることにより実行される。
【０１２３】
なお、予め設定された範囲は、フォーカスレンズの移動可能範囲よりも狭く設定される。移動可能範囲を広く設定するほど、より良好に合焦制御が実行できる傾向にある一方、合焦制御に要する時間は増大する。また、移動可能範囲を狭く設定するほど、合焦制御に要する時間は短縮されるが、被写体との距離に急激な変化がある場合等には、合焦制御を良好に行えない場合もある。
【０１２４】
ステップ１６０では、レリーズボタン５６Ａが全押し状態とされたか否かを判定し、当該判定が肯定判定となった場合はステップ１６２に移行する。
【０１２５】
ステップ１６２では、撮影動作として、この時点で第２メモリ４０に格納されているＹＣ信号を、圧縮・伸張処理回路２４によって所定の圧縮形式で圧縮した後に記録メディア４２Ａに画像ファイルとして記録し、その後に本撮影処理を終了する。
【０１２６】
一方、ステップ１６０で否定判定となった場合はステップ１６４に移行して、レリーズボタン５６Ａが非押下位置に戻されたか否かを判定し、当該判定が否定判定となった場合は再びステップ１５８に戻る。
【０１２７】
また、ステップ１６４が肯定判定となった場合は、そのまま本撮影処理を終了する。
【０１２８】
本変形例２によれば、プリズム板８４を用いた位相差ＡＦ制御によりすばやく合焦状態とし、その後コントラストＡＦ制御を実行するので、スルー画像へのプリズムの移りこみを抑えつつ、継続的に合焦状態とすることが可能である。
（変形例３）
また、位相差ＡＦの検出による合焦制御と、コントラストＡＦの検出による合焦制御とを併用する場合、撮影時の状況に応じて何れかの合焦制御を優先させる形態とすることもできる。
【０１２９】
図１５には、変形例３に係る撮影処理の流れが示されている。以下、同図を参照して変形例３に係る撮影処理について説明する。
【０１３０】
なお、本変形例３では、一例として、上記第１実施形態で説明したプリズム板８４を用いた構成のデジタルカメラ１０に適用した場合について説明する。したがって、上記第２実施形態で説明したように、赤外線カットプレート２８０にプリズム部２８４を設けた構成のデジタルカメラ１０に適用してもよいし、第１実施形態又は第２実施形態の構成で、第３実施形態の合成・はめ込み処理を実行するデジタルカメラ１０に適用してもよいことは言うまでもない。
【０１３１】
まず、ステップ１７０では、プリズム板８４を挿入し、その後にステップ１７２に移行して、位相差ＡＦを検出する。
【０１３２】
プリズム板８４の挿入は、モータ駆動部５０を介して不図示のプリズム移動用モータを駆動することにより、回転軸８２Ａを中心に支持板８２を回転させて実行される。
【０１３３】
位相差ＡＦの検出は、領域８６Ａの画像と領域８６Ｂの画像との間の位相差を導出することにより実行される。なお、領域８６Ａ、８６Ｂの特定は、例えば、予めプリズム板８４の挿入位置を設定しておき、設定された挿入位置に基づいて行うことができる。また、位相差の導出は、各領域の対応する画素の値を比較することにより実行することができる。さらに、導出した位相差と、現在のレンズ位置とに基づいて、合焦状態となるレンズの位置を導出する。
【０１３４】
次のステップ１７４では、検出した位相差ＡＦに応じて導出した合焦状態となる位置に応じてフォーカスレンズを移動させ、その後にステップ１７６に移行する。
【０１３５】
ステップ１７６では、コントラストＡＦの検出による合焦制御を実行し、その後にステップ１７８に移行する。
【０１３６】
なお、ステップ１７６におけるコントラストＡＦの検出による合焦制御は、上記ステップ１７４の処理後のフォーカスレンズの位置を中心として、予め設定された範囲内でフォーカスレンズを移動させながら、コントラストＡＦの検出を実行し、コントラストが最大となる位置にフォーカスレンズを移動させることにより実行される。
【０１３７】
なお、予め設定された範囲は、フォーカスレンズの移動可能範囲よりも狭く設定される。移動可能範囲を広く設定するほど、より良好に合焦制御が実行できる傾向にある一方、合焦制御に要する時間は増大する。また、移動可能範囲を狭く設定するほど、合焦制御に要する時間は短縮されるが、被写体との距離に急激な変化がある場合等には、合焦制御を良好に行えない場合もある。
【０１３８】
そこで、ステップ１７８では、コントラストＡＦによる合焦制御が良好に実行できたか否かを判定し、当該判定が否定判定となった場合は再びステップ１７２に戻り、再び位相差ＡＦ検出による合焦制御を実行するようにしている。
【０１３９】
合焦制御が良好に実行できたか否かの判定は、例えば、コントラストＡＦの評価値に基づいて判定することができる。以下に、コントラストＡＦの検出が良好に行えない場合について例示する。すなわち、以下の例の場合、再度位相差ＡＦによる迅速な合焦制御を実行することが好ましい。
（１）コントラストＡＦの評価値の変化量がある閾値以上になった場合
コントラストＡＦ制御を複数回実行した場合の評価値の変化量を導出し、当該変化量が大きい場合には、被写体との距離が大きく変化している可能性がある。また、今後さらに被写体との距離が変化する可能性があるとみなすことができる。
（２）コントラストＡＦの評価値がある閾値以下になった場合
コントラストＡＦの評価値が所定の閾値未満である場合、レンズの位置が合焦状態となる位置とかけ離れている可能性がある。この場合には、被写体との距離が大きく変化したものとみなすことができる。
（３）コントラストＡＦによる検出距離により移動ベクトルを算出し、そのベクトルの大きさがある閾値を超えたとき
移動ベクトルを算出することで、算出したベクトルの大きさによって、レンズを動かした範囲外でコントラストＡＦの評価値が最大となる可能性があるか否かを推測することができる。
【０１４０】
なお、ステップ１７８において、（１）〜（３）の何れか１つを適用して判定するようにしてもよいし、２つ以上の組み合わせを適用して１つでも該当した場合は良好に行えなかったと判定してもよい。
【０１４１】
一方、ステップ１７８で肯定判定となった場合は、ステップ１８０に移行する。
【０１４２】
ステップ１８０では、レリーズボタン５６Ａが全押し状態とされたか否かを判定し、当該判定が肯定判定となった場合はステップ１８２に移行する。
【０１４３】
ステップ１８２では、上述のプリズム移動用モータを駆動してプリズム板８４を受光面１４Ａから退避させ、その後にステップ１８４に移行する。
【０１４４】
ステップ１８４では、撮影動作として、この時点で第２メモリ４０に格納されているＹＣ信号を、圧縮・伸張処理回路２４によって所定の圧縮形式で圧縮した後に記録メディア４２Ａに画像ファイルとして記録し、その後に本撮影処理を終了する。
【０１４５】
一方、ステップ１８０で否定判定となった場合はステップ１８６に移行して、レリーズボタン５６Ａが非押下位置に戻されたか否かを判定し、当該判定が否定判定となった場合は再びステップ１７６に戻る。
【０１４６】
また、ステップ１８６が肯定判定となった場合は、ステップ１８８に移行して上述のプリズム移動用モータを駆動してプリズム板８４を受光面１４Ａから退避させ、その後に本撮影処理を終了する。
【０１４７】
本変形例３によれば、プリズム板８４を用いた位相差ＡＦ制御によりすばやく合焦状態とし、その後コントラストＡＦ制御を実行するので、スルー画像へのプリズムの移りこみを抑えつつ、継続的に合焦状態とすることが可能である。また、被写体が大きく動いてしまったときは、再度位相差ＡＦ制御を実行するようにしているので、すばやく合焦状態とすることができる。
【０１４８】
なお、以上の各実施形態で説明したデジタルカメラ１０の構成（図１及び図２参照）は一例であり、本発明の主旨を逸脱しない範囲内において適宜変更可能であることは言うまでもない。
【０１４９】
例えば、撮影処理においてコントラストＡＦ制御を実行しない場合（図７及び図１３参照）には、ＡＦ検出回路３４を、位相差だけを検出する構成とすることができる。
【図面の簡単な説明】
【０１５０】
【図１】実施形態に係るデジタルカメラの外観を示す外観図である。
【図２】実施形態に係るデジタルカメラの電気系の構成を示すブロック図である。
【図３】第１実施形態に係るプリズム板を撮影光路に挿入した状態を示す側面図である。
【図４】第１実施形態に係るプリズム板とＣＣＤの受光面との位置関係を示す正面図である。
【図５】第１実施形態に係るプリズム板による光束の分割状態を説明する断面図である。
【図６】プリズム板を挿入して撮像を行なった場合に得られる画像の一例を示す模式図である。
【図７】第１実施形態に係る撮影処理の流れを示すフローチャートである。
【図８】複数のプリズム板を設ける形態の一例を示す正面図である。
【図９】第２実施形態に係るプリズム部が設けられた赤外線カットプレートと、ＣＣＤの受光面との位置関係を示す正面図である。
【図１０】第２実施形態に係る赤外線カットプレートの断面図である。
【図１１】他の形態の赤外線カットプレートの断面図である。
【図１２】第３実施形態に係る撮影処理の実行時にＬＣＤに表示される画像の一例を示す模式図である。
【図１３】変形例１に係る撮影処理の流れを示すフローチャートである。
【図１４】変形例２に係る撮影処理の流れを示すフローチャートである。
【図１５】変形例３に係る撮影処理の流れを示すフローチャートである。
【符号の説明】
【０１５１】
１０    デジタルカメラ
１２    レンズ
１３    光学ユニット（光学系部材）
１４    ＣＣＤ（撮像手段）
３０    ＬＣＤ（表示手段）
３２    ＣＰＵ（距離導出手段、制御手段、位置特定手段、判定手段）
３４    ＡＦ検出回路（距離導出手段、位置特定手段）
４２Ａ    記録メディア（記録媒体）
５０    モータ駆動部（変更手段、分岐光学素子移動手段）
５６    操作部（入力手段）
８４    プリズム板（分岐光学素子）
２８０    赤外線カットガラス（波長制限手段）
２８４    プリズム部（分岐光学素子）
【図１】
2008249859.tif 000003
【図２】
2008249859.tif 000004
【図３】
2008249859.tif 000005
【図４】
2008249859.tif 000006
【図５】
2008249859.tif 000007
【図６】
2008249859.tif 000008
【図７】
2008249859.tif 000009
【図８】
2008249859.tif 000010
【図９】
2008249859.tif 000011
【図１０】
2008249859.tif 000012
【図１１】
2008249859.tif 000013
【図１２】
2008249859.tif 000014
【図１３】
2008249859.tif 000015
【図１４】
2008249859.tif 000016
【図１５】
2008249859.tif 000017